(57)【要約】  本発明は、一体型衣類ケア洗濯機及びその操作方法であり、前記一体型衣類ケア洗濯機は、ハウジング（１）と、前記ハウジング（１）内に設けられている洗濯システム（２）とケアシステム（３）と、を備え、前記洗濯システム（２）と前記ケアシステム（３）との間に伸縮可能なトレー（４）が設けられ、前記トレー（４）は、延出した後に一体型衣類ケア洗濯機の高さ方向に沿って昇降できる。トレー（４）を設置することによって、前記洗濯システム（２）から取出した衣類を載置することができ、トレー（４）は、前記洗濯システム（２）から取出した衣類をケアシステム（３）方向へ搬送することができ、衣類を洗濯システム（２）からケアシステム（３）へ運ぶ作業効率を向上し、労働強度を低下することを可能する。また、トレー（４）は前記洗濯システム（２）またはケアシステム（３）から衣類を取出する時に取り落とした衣類を受け入れ、衣類を地面に取り落とすことを防ぐことができる。【選択図】図３
2019531147.tif 000002
【特許請求の範囲】
【請求項１】
一体型衣類ケア洗濯機であって、
ハウジングと、前記ハウジング内に設けられている洗濯システムとケアシステムと、を備え、前記洗濯システムと前記ケアシステムとの間に伸縮可能なトレーが設けられ、前記トレーは、延出した後に前記一体型衣類ケア洗濯機の高さ方向に沿って昇降できることを特徴とする一体型衣類ケア洗濯機。
【請求項２】
前記ハウジングにはそれぞれ洗濯システムの衣類投入口とケアシステムの衣類投入口が設けられ、前記トレーは自動および/または手動で伸縮させ、前記洗濯システムの衣類投入口の下縁と前記ケアシステムの衣類投入口の下縁との間で昇降させることを特徴とする請求項１に記載の一体型衣類ケア洗濯機。
【請求項３】
前記トレーは昇降過程において、平行移動又は反転することを特徴とする請求項１に記載の一体型衣類ケア洗濯機。
【請求項４】
前記トレーの形状は、平板状、または鉢状、または箱状、または皿状であることを特徴とする請求項１に記載の一体型衣類ケア洗濯機。
【請求項５】
前記トレーは、延出した後に前記洗濯システムの衣類投入口の下縁まで降下し、衣類を前記洗濯システムから取出して前記トレーに載置した後、前記トレーを上昇させ、衣類を前記ケアシステムに投入してケアを行うことを特徴とする請求項２に記載の一体型衣類ケア洗濯機。
【請求項６】
前記洗濯システムから取出した衣類を載置するため、前記トレーは、延出した後に前記一体型衣類ケア洗濯機の高さ方向に沿って降下し、衣類を前記トレーに載置した後、衣類を前記ケアシステムの方向へ搬送するため、前記トレーが前記一体型衣類ケア洗濯機の高さ方向に沿って上昇することを特徴とする請求項１に記載の一体型衣類ケア洗濯機。
【請求項７】
前記ハウジングに左右側の二つのスライドレールを対向かつ平行に設置し、前記トレーが二つの前記スライドレールに適合する少なくとも二つのスライダに連結させ、前記スライダは前記スライドレールに摺動可能に配置されていることを特徴とする請求項１〜６のいずれか一項に記載の一体型衣類ケア洗濯機。
【請求項８】
各スライダと前記トレーとの間に少なくとも１つの連結ロッドが設けられ、前記連結ロッドの両端はそれぞれ前記スライダと前記トレーとにヒンジされていることを特徴とする請求項６に記載の一体型衣類ケア洗濯機。
【請求項９】
前記ケアシステムは、乾燥システム、または洗浄システム、または脱臭システム、または殺菌消毒システム、または衣類仕上げ/スタッキング（積み重ね）システム、またはスチームアイロンシステムであることを特徴とする１〜６のいずれか一項に記載の一体型衣類ケア洗濯機。
【請求項１０】
請求項１〜９のいずれか一項に記載の前記一体型衣類ケア洗濯機の操作方法であって、
前記ハウジングにそれぞれ洗濯システムの投入口とケアシステムの投入口が設けられ、前記操作方法は、以下のステップを含み、
Ａ、衣類が前記洗濯システムで洗濯された後、前記トレーは、前記ハウジングから延出した後に前記洗濯システムの衣類投入口の下縁まで降下し、衣類を前記洗濯システムから取出して前記トレーに載置し、
Ｂ、前記トレーを前記ケアシステムの投入口の下縁に上昇させ、前記トレーに載置された衣類を前記ケアシステムに投入してケアを行い、
Ｃ、前記トレーを前記ハウジング内に収納する、
ことを特徴とする一体型衣類ケア洗濯機の操作方法。
【発明の詳細な説明】
【技術分野】
【０００１】
本発明は、洗濯機の技術分野に属し、具体的に一体型衣類ケア洗濯機、及びその一体型衣類ケア洗濯機の操作方法に関する。
【背景技術】
【０００２】
洗濯機は、人々の生活において衣類を専門的に洗濯する家電製品であり、日常生活に衣類を迅速に、清潔に洗濯することを提供する。衣類ケア機、例えば衣類乾燥機など洗濯した衣類にケアを行う機械も広く使用され、洗濯した衣類を干し、ケアする等の作業を省略し、物干しの占有空間を省くことができる。
【０００３】
現在、ドラム式洗濯機の作動原理は、ドラムがモータの駆動によって回転し、衣類を洗濯するようにドラム中の衣類が上昇や降下の運動を反復で行う。ドラム式洗濯機は上記の方式によって衣類を洗濯するので、衣類に対する摩耗率を低減することができ、均一な洗濯になる。従って、ドラム式洗濯機が広く注目され、使用されている。
【発明の概要】
【発明が解決しようとする課題】
【０００４】
ドラム式洗濯機で洗濯した後、脱水した衣類が巻き付いたり、ドラムの内壁に密着し、ユーザが洗濯機のドアを開けて衣類を取出す時、衣類を地面に取り落とす現象がしばしば発生し、地面に取り落とした衣類を再び洗浄しなければならず、洗濯の作業量が増加する。且つ、衣類ケア機を使用する場合、洗濯した後の衣類をドラム式洗濯機から取出した後、さらに衣類ケア機に投入してケアを行うため、衣類をドラム式洗濯機から取出した後に地面に取り落とす現象がしばしば発生する。また、取出す時間が長く、効率が低い。且つ、ユーザが手で衣類をドラム式洗濯機から取出して衣類ケア機に搬送するため、労働強度が大きい。
【課題を解決するための手段】
【０００５】
本発明は、従来技術における上記の問題に対して、一体型衣類ケア洗濯機を提供し、操作効率を向上し、労働強度を低減し、衣類を地面に取り落とすことを防ぐ。
【０００６】
上記の技術的目的を達成するために、本発明は、次の技術的解決手段を用いて実現する。
【０００７】
一体型衣類ケア洗濯機であって、ハウジングと、前記ハウジング内に設けられている洗濯システムとケアシステムと、を備え、前記洗濯システムと前記ケアシステムとの間に伸縮可能なトレーが設けられ、前記トレーは、延出した後に前記一体型衣類ケア洗濯機の高さ方向に沿って昇降できる。
【０００８】
さらに、前記洗濯システムと前記ケアシステムを上下に配置し、前記洗濯システムは前記ケアシステムの下方に位置する。
【０００９】
さらに、前記ハウジングにはそれぞれ洗濯システムの衣類投入口とケアシステムの衣類投入口が設けられ、前記トレーは自動および／または手動で伸縮させ、前記洗濯システムの衣類投入口の下縁と前記ケアシステムの衣類投入口の下縁との間で昇降させる。
【００１０】
さらに、前記洗濯システムの衣類投入口と前記ケアシステムの衣類投入口は前記ハウジングの前パネルに設けられている。
【００１１】
さらに、前記前パネルに前記トレーを外部へ延出し、内部へ収納する出入口が設けられ、前記出入口は前記洗濯システムの衣類投入口と前記ケアシステムの投入口との間に位置する。
【００１２】
さらに、前記トレーは前記出入口に適合する閉鎖パネルまたは端面を有し、前記トレーが収納された後、前記閉鎖パネルまたは端面が前記出入口に位置し、且つ前記前パネルと同一平面にある。
【００１３】
さらに、前記トレーは昇降過程において、平行移動又は反転する。
【００１４】
さらに、前記トレーの形状は、平板状、または鉢状、または箱状、または皿状である。
【００１５】
さらに、前記トレーは、延出した後に前記洗濯システムの衣類投入口の下縁まで降下し、衣類を前記洗濯システムから取出して前記トレーに載置した後、前記トレーを上昇させ、衣類を前記ケアシステムに投入してケアを行う。
【００１６】
さらに、前記洗濯システムから取出した衣類を載置するため、前記トレーは、延出した後に前記一体型衣類ケア洗濯機の高さ方向に沿って降下し、衣類を前記トレーに載置した後、衣類を前記ケアシステムの方向へ搬送するため、前記トレーが前記一体型衣類ケア洗濯機の高さ方向に沿って上昇する。
【００１７】
さらに、前記ハウジングに左右側の二つのスライドレールを対向かつ平行に設置し、前記トレーにそれぞれ二つの前記スライドレールに適合する少なくとも二つのスライダが設置され、前記スライダは前記スライドレールに摺動可能に配置されている。
【００１８】
さらに、各スライダと前記トレーとの間に少なくとも１つの連結ロッドが設けられ、前記連結ロッドの両端はそれぞれ前記スライダと前記トレーとにヒンジされている。
【００１９】
さらに、前記ケア板の左右両側にそれぞれ少なくとも二つの連結ロッドが設けられ、少なくとも１つの前記連結ロッドは伸縮可能な連結ロッドである。
【００２０】
さらに、前記スライドレールは前記ハウジングに固定し、前記ハウジング内に位置するスライドレール本体と、前記ハウジングから外部へ延出し、前記ハウジング内へ引き込む伸縮部と、を有し、前記伸縮部は前記スライドレール本体の前部に設けられている。
【００２１】
さらに、前記ケアシステムは、乾燥システム、または洗浄システム、または脱臭システム、または殺菌消毒システム、または衣類仕上げ／スタッキング（積み重ね）システム、またはスチームアイロンシステムである。
【００２２】
さらに、前記の一体型洗濯ケア機に基づいて、本発明は前記一体型洗濯ケア機の操作方法を提供し、衣類を洗濯システムからケアシステムに運ぶ作業効率を向上し、労働強度を低減する。
【００２３】
前記一体型衣類ケア洗濯機の操作方法であって、前記ハウジングにはそれぞれ洗濯システムの衣類投入口とケアシステムの衣類投入口とが設けられ、前記操作方法は以下のステップを含む。
【００２４】
Ａ、衣類が前記洗濯システムで洗濯された後、前記トレーは、前記ハウジングから延出した後に前記洗濯システムの衣類投入口の下縁まで降下し、衣類を前記洗濯システムから取出して前記トレーに載置する。
【００２５】
Ｂ、前記トレーを前記ケアシステムの投入口の下縁に上昇させ、前記トレーに載置された衣類を前記ケアシステムに投入してケアを行う。
【００２６】
Ｃ、前記トレーを前記ハウジング内に収納する。
【００２７】
さらに、前記操作方法は、Ｄステップを有し、前記ケアシステムでケアした後、前記トレーが延出され、前記ケアシステムから衣類を取出す時に取り落とした衣類を受け入れる。
【発明の効果】
【００２８】
本発明は、一体型衣類ケア洗濯機を提供し、前記ハウジング内に設置された洗濯システムとケアシステムによって、一体型機が同時に洗濯システムとケアシステムとを有し、占用空間を減少し、洗濯システムから取出した衣類をケアシステムに投入する間に衣類の移動に必要な距離を減少し、衣類を洗濯システムからケアシステムへ運ぶ作業効率を向上し、労働強度を低下することを可能にする。前記洗濯システムと前記ケアシステムとの間に伸縮可能なトレーが設けられ、前記トレーは、延出した後に前記一体型衣類ケア洗濯機の高さ方向に昇降できる。前記トレーを設置することによって、前記洗濯システムから取出した衣類を載置することでき、且つ前記トレーは前記洗濯システムから取出した衣類を前記ケアシステムの方向へ搬送するに用い、衣類が洗濯システムからケアシステムへ運ぶ作業効率を向上し、労働強度を低減することを可能にする。また、前記トレーは前記洗濯システムまたは前記ケアシステムから衣類を取出する時に取り落とした衣類を受け入れ、衣類を地面に取り落とすことを防ぐことができる。
【図面の簡単な説明】
【００２９】
【図１】本発明に係る一体型衣類ケア洗濯機の一つの実施形態の構造の概略図である。
【００３０】
【図２】トレーが延出した後の構造の概略図である。
【００３１】
【図３】トレーが降下した後の構造の概略図である。
【００３２】
【図４】トレーが上昇または降下する過程における状態の概略図である。
【００３３】
【図５】図４中のＡ領域の拡大構造の概略図である。
【００３４】
【図６】トレーが決め位置まで上昇した状態の概略図である。
【発明を実施するための形態】
【００３５】
本発明の好ましい実施形態
本発明の実施形態の目的、技術的解決手段及び利点をより明確するために、次に本発明の実施形態の図面を併せて本発明の実施形態の技術的解決手段を明白に、詳細に説明する。
【００３６】
本発明の記載では、言及すべきなのは、用語「内」、「外」、「上」、「下」、「左」、「右」などは、図面に示す方向や位置関係に基づいて、方向または位置関係を示し、本発明の説明を容易、かつ簡便にするのに用いるが、装置や部品が必ず特定方向となることや、特定構成及び操作を表示や暗示することではない。従って、本発明を限定するものと解釈されない。
【００３７】
図１〜図５に示すように、本発明に係る一体型衣類ケア洗濯機の一実施形態であり、一体型衣類ケア洗濯機であって、ハウジング１と、前記ハウジング１内に設けられている洗濯システム２とケアシステム３と、を備え、前記ハウジング１内に位置する前記洗濯システムと前記ケアシステムとの間に伸縮可能なトレー４が設けられ、前記トレー４は、ハウジング１から延出した後に前記一体型衣類ケア洗濯機の高さ方向に沿って昇降し、または前記ハウジング１の高さ方向に沿って昇降できる。
【００３８】
本実施例では、ハウジング１内に設置された洗濯システム２とケアシステム３によって、一体型機が同時に洗濯システム２とケアシステム３とを有し、占用空間を減少し、洗濯システム２から取出した衣類をケアシステム３に投入する間に衣類の移動に必要な距離を減少し、衣類を洗濯システム２からケアシステム３へ運ぶ作業効率を向上し、労働強度を低下することを可能にする。洗濯システム２とケアシステム３との間に伸縮可能なトレー４が設けられ、トレー４は、延出した後に前記一体型衣類ケア洗濯機の高さ方向に昇降でき、トレー４を設置することによって、洗濯システム２から取出した衣類を載置することでき、且つトレー４は洗濯システム２から取出した衣類をケアシステム３の方向へ搬送するに用い、このように洗濯システム２から取出したケアを必要とする衣類を一回でケアシステム３付近に搬送することができ、衣類が洗濯システム２からケアシステム３へ運ぶ作業効率を向上し、労働強度を低減することを可能にする。また、トレー４は洗濯システム２またはケアシステム３から衣類を取出する時に取り落とした衣類を受け入れ、衣類を地面に取り落とすことを防ぐことができる。
【００３９】
本実施例では、図１に示すように、洗濯システム２とケアシステム３を上下に配置し、洗濯システム２はケアシステム３の下方に位置する。トレー４は、延出した後に再び一体型衣類ケア洗濯機の高さ方向に沿って降下し、降下した後、洗濯システム２から取出した衣類を載置するに用い、洗濯システム２から取出した衣類をトレー４に載置し、同時にトレー４も洗濯システム２から衣類を取出す時、取り落とした衣類を受け入れることもでき、洗濯システム２から衣類を取出す時衣類を地面に取り落とすことを防ぐ。その後、トレー４が一体型衣類ケア洗濯機の高さ方向に沿って上昇し、衣類をケアシステム３の方向へ搬送するに用い、衣類を載置したトレー４の上昇によって、トレー４がケアシステム３に接近し、洗濯システム２から取出したケアとする必要衣類を一回でケアシステム３付近に搬送することができ、ユーザが手で複数回に分けて搬送し、または皿など他の道具によって載置して搬送することを避け、衣類が洗濯システム２からケアシステム３へ運ぶ作業効率を向上し、労働強度を低減することを可能にする。
【００４０】
本実施例では、ハウジング１の前パネルに洗濯システムの衣類投入口１２とケアシステムの衣類投入口１３がそれぞれ設けられ、前パネルにトレー４を外部へ延出し、内部へ収納する出入口１１がさらに設けられ、出入口１１は洗濯システムの衣類投入口１２とケアシステムの投入口１３との間に位置する。トレー４の動作は、外部への延出、内部への収納、延出した後の降下と上昇を含み、トレー４は、ハウジング１から外部へ延出した後にハウジング１の外側で昇降する。トレー４の動作に対する動力の提供方式は特に限定せず、手動で、または自動で、または半自動で行ってもよく、すべて本発明の保護範囲にある。
【００４１】
本実施例では、トレー４は洗濯システムの衣類投入口１２の下縁とケアシステムの衣類投入口１３の下縁との間で昇降する。トレー４は、延出した後に洗濯システムの衣類投入口１２の下縁まで降下し、前パネルでは洗濯システムの衣類投入口１２の下端から下方へ向けてハウジング１の底面までの間をすべて洗濯システムの衣類投入口１２の下縁と呼ぶ。好ましくはトレー４が洗濯システムの衣類投入口１２の最下端から下方に向ける距離が０〜２０ｃｍの間であり、トレー４が降下する距離をできるだけ小さく設置し、トレー４の昇降に必要な時間を短縮し、効率を向上し、より良く洗濯システム２から取出した衣類を受け入れ、洗濯システム２から衣類を取出す時に衣類を地面に取り落とすことを防ぐ。前パネルではケアシステムの衣類投入口１３の最下端から下方へ向けて出入口１４までの間をすべてケアシステムの衣類投入口１３の下縁と呼ぶ。好ましくはトレー４が上方へ向けて出入口１２まで上昇して上昇動作を停止することを設置し、トレー４における衣類がケアシステムの衣類投入口１３によってケアシステム３に投入してケアを行う。勿論、図６に示すように、トレー４が出入口１２とケアシステムの衣類投入口１３の最下端との間まで上昇して上昇動作を停止することを設置し、トレー４とケアシステムの衣類投入口１３との距離を縮小させ、トレー４における衣類をケアシステムの衣類投入口３に投入し易く、さらに労働強度低減し、操作効率を向上する。
【００４２】
トレー４の形状に対しても複数でもよく、例えば、平板状、または鉢状、または箱状、または皿状などである。一体型衣類ケア洗濯機の外観の美しさのため、トレー４は出入口１１に適合する閉鎖パネルまたは端面を有し、トレー４がハウジング１に収納された後、トレー４における閉鎖パネルまたは端面が出入口１１中に位置し、且つ前パネルと同一平面にある。
【００４３】
本実施例では、トレー４は昇降過程において、平行移動し、つまりトレー４は、ハウジング１から延出した後に下方へ向けて水平移動し洗濯システム２から取出した衣類を受け入れた後に上方へ向けて水平移動して、衣類をケアシステム３の方向へ搬送する。
【００４４】
その内、ケアシステム３は乾燥システムでもよく、洗浄システムでもよく、脱臭システムでもよく、殺菌消毒システムでもよく、衣類仕上げ、スタッキング（積み重ね）システムでもよく、スチームアイロンシステムでもよい。
【００４５】
図４及び図５に示すように、次にトレー４とハウジング１との連結構造を詳しく説明する。ハウジング１にそれぞれ左右側の二つのスライドレール１４を対向かつ平行に設置し、トレー４にそれぞれ二つのスライドレール１４に適合するスライダ５が設けられ、スライダ５はスライドレール１４に摺動可能に配置されている。スライダ５がスライドレール１４に摺動することによって、トレー４の延出と収納を実現する。
【００４６】
各スライダ５とトレー４との間に少なくとも１つの連結ロッド６が設けられ、連結ロッド６の両端はそれぞれスライダ５とトレー４とにヒンジされ、連結ロッド６を設置することによってトレー４の昇降を実現する。本実施例では、トレー４の安定性のために、四つの連結ロッド６が設置され、トレー４の左右両側にそれぞれ二つが設けられ、且つトレー４の側縁の前後両端にそれぞれ設置されている。
【００４７】
本実施例では、トレー４が延出した後の昇降は平行移動であり、四つの連結ロッド６はすべて伸縮可能なものであり、連結ロッド６の伸縮、及びスライダ５による連結ロッド６がスライドレール１４に摺動することによって、トレー４の昇降を実現する。且つスライドレール１４はハウジング１と固定し、ハウジング１内に位置するスライドレール本体と、ハウジング１から外部へ延出し、ハウジング１内へ引き込む伸縮部と、を有し、伸縮部はスライドレール本体の前部に設けられている。
【００４８】
図１〜図５に示すように、本実施例に係る一体型洗濯ケア機の操作方法を説明する。具体的に以下のステップを含む。
【００４９】
Ａ、衣類が洗濯システム２で洗濯された後、トレー４は、ハウジング１から延出した後に洗濯システムの衣類投入口１２の下縁まで降下する。
【００５０】
具体的に、トレー４は、ハウジング１から延出した後に一体型洗濯ケア機の高さ方向に沿って降下し、洗濯システムの衣類投入口１２の下縁まで降下して、衣類を洗濯システム２から取出してトレーに載置する。これにより、トレー４が降下した後に洗濯システム２から取出した衣類を受け入れ、洗濯システム２から衣類を取出す時に衣類を地面に取り落とすことを防ぐ。
【００５１】
Ｂ、トレー４をケアシステムの投入口１３の下縁に上昇させ、トレー４に載置された衣類をケアシステム３に投入してケアを行う。
【００５２】
具体的に、トレー４は一体型洗濯ケア機の高さ方向に沿って上昇し、ケアシステムの衣類投入口１３の下縁まで上昇し、トレー４における衣類をケアシステム３に投入してケアを行う。トレー４の上昇は衣類をケアシステム３へ搬送するに用い、衣類を載置したトレー４の上昇によって、トレー４をケアシステム３に接近させ、衣類が洗濯システム２からケアシステム３へ運ぶ作業効率を向上し、労働強度を低減することを可能にする。
【００５３】
Ｃ、前記トレー４を前記ハウジング１内に収納する。
【００５４】
他の実施例では、ステップＤを含み、ケアシステム３がケアを完成した後に、トレー４は、ハウジング１から延出し、ケアシステム３から衣類を取出す時に取り落とした衣類を受け入れる。ケアシステム３から衣類を取出す時に衣類を地面に取り落とすことを防ぐ。
【００５５】
以上に説明したのは、本発明の好ましい実施形態であり、本発明を他の形式で制限するものではなく、当業者は上記に開示の技術的内容と同等の変化である等価の実施形態を変更または変形することができる。本発明の技術的解決手段内容から逸脱せず、本発明の実質的技術に基づいて上記の実施形態を如何に簡単に修正、同等の変化と変形は、依然として本発明の技術的解決手段の保護範囲に属する。
【図１】
2019531147.tif 000003
【図２】
2019531147.tif 000004
【図３】
2019531147.tif 000005
【図４】
2019531147.tif 000006
【図５】
2019531147.tif 000007
【図６】
2019531147.tif 000008
【国際調査報告】
2019531147.tif 000009
2019531147.tif 000010
2019531147.tif 000011
2019531147.tif 000012